(57)【要約】【課題】共通カテゴリを利用した検索の自由度を向上させることができるコンテンツ再生装置を提供する。【解決手段】このコンテンツ再生装置１００は、コンテンツを増幅再生するスピーカ１とアンプ部２とＤ／Ａ変換器（ＤＡＣ）３を有するオーディオ再生部２０と、コンテンツデータを記憶する記憶手段となる内蔵ＨＤＤ／メモリ（ＨＤＤまたはメモリの意味：以下、単に内蔵ＨＤＤと呼ぶ）１７と、コンテンツが記録されたＣＤ（メディア）を駆動するＣＤプレーヤ１６と、コンテンツの信号を処理するＤＳＰ４と、音楽ＣＤに収録されたコンテンツに関する情報を格納したＣＤＤＢ（CD Data Base）を参照してコンテンツを選択するために、表示部１４ａ（表示手段）と操作部１４ｂを有する操作表示部（選択手段）１４と、全体を制御するシステムマイコン（制御手段）１３と、を備えて構成されている。【選択図】図１
2010080035.tif 000002
【特許請求の範囲】
【請求項１】
複数のコンテンツを記録した記録媒体から各コンテンツ毎に付された付加情報に基づいて特定のコンテンツを絞り込んで再生するコンテンツ再生装置において、
前記付加情報のカテゴリごとに絞り込み方法を指示した内容を該カテゴリと対応付けて記憶する絞込方法指示記憶手段と、
前記カテゴリの中から１つ以上のカテゴリを絞込み用カテゴリとして設定する絞込カテゴリ設定手段と、
該絞込カテゴリ設定手段により設定されたカテゴリに対応付けられた絞り込み方法に基づいて絞り込みを実行する絞込実行手段と、
該絞込実行手段により実行された絞込み結果を表示する表示手段と、
前記コンテンツ再生中にユーザの指示に伴い、前記絞込カテゴリ設定手段により設定されたカテゴリに対応する絞り込み方法を前記絞込方法指示記憶手段より読出し、該読み出された絞り込み方法に基づいて絞り込みを実行するように前記絞込実行手段を制御すると共に、該絞り込み結果を前記表示手段に表示する制御手段と、
を備えたことを特徴とするコンテンツ再生装置。
【請求項２】
前記制御手段は、前記絞込カテゴリ設定手段によるカテゴリの設定を可能としたことを特徴とする請求項１に記載のコンテンツ再生装置。
【請求項３】
前記付加情報のカテゴリとして、少なくともプレイリスト、アーティスト名、アルバム名、ジャンル、及びコンポーザ名を含むことを特徴とする請求項１又は２に記載のコンテンツ再生装置。
【請求項４】
前記絞込方法指示記憶手段による絞り込み方法は、前記絞込カテゴリ設定手段により設定されたカテゴリごとに、再生中のコンテンツと同じ当該カテゴリ内のカテゴリにより絞込みを行なうように指示することを特徴とする請求項１乃至３に記載のコンテンツ再生装置。
【請求項５】
複数のコンテンツを記録した記録媒体から各コンテンツ毎に付された付加情報に基づいて特定のコンテンツを絞り込んで再生するコンテンツ再生方法において、
前記カテゴリの中から１つ以上のカテゴリを絞込み用カテゴリとして設定する絞込ステップと、
前記絞込カテゴリ設定手段により設定されたカテゴリに対応付けられた絞り込み方法に基づいて絞り込みを実行する絞込実行ステップと、
実行された絞込み結果を表示する表示ステップと、
前記コンテンツ再生中に所定のキーが押下されると、設定されたカテゴリに対応する絞り込み方法を読出し、該読み出された絞り込み方法に基づいて絞り込みを実行すると共に、該絞り込み結果を表示する制御ステップと、
を備えたことを特徴とするコンテンツ再生方法。
【請求項６】
請求項５に記載のコンテンツ再生方法をコンピュータが制御可能にプログラミングしたことを特徴とするコンテンツ再生プログラム。
【発明の詳細な説明】
【技術分野】
【０００１】
本発明は、コンテンツ再生装置に関し、さらに詳しくは、予め、絞り込み用カテゴリを設定しておき、設定されたカテゴリに基づいてコンテンツ又はカテゴリを絞り込んで再生するコンテンツ再生装置に関するものである。
【背景技術】
【０００２】
近年、ＨＤＤやメモリなどのメディアに、多数の楽曲が保存されるようになってきている。また、メディアに保存されている楽曲にＤＢを利用してアーティスト名、アルバム名、ジャンル、コンポーザ名、及びプレイリストなどの付加情報が登録されていることが多い。更に、登録された付加情報を利用して、各情報で絞り込みを行なうことによって、ユーザが任意の楽曲にたどり着き易い機能を搭載した製品が増加している。現在、その絞り込みの機能を利用して、再生中に指定された任意のキーを押下することにより、表示部に指定された楽曲のアーティストで登録されているアルバム名の一覧を表示させることができる。図６は従来のコンテンツ再生装置により楽曲を絞り込む動作を説明するフローチャートである。まず、楽曲再生中に所定のキーを押下する（Ｓ３０）。その結果、直前に記憶されている絞り込み情報をクリアして（Ｓ３１）、再生中のアーティスト名と同じアーティストのアルバム名がなければ（Ｓ３３でＮｏ）終了して、アルバム名が存在すれば（Ｓ３３でＹｅｓ）、アルバム数を確認して（Ｓ３４）、そのアルバムを表示する表示データを作成する（Ｓ３５）。存在したアルバム数の表示データが作成完了すると（Ｓ３６でＹｅｓ）、表示部にアルバム名を表示し（Ｓ３７）、ユーザが表示されているアルバムから選択すると（Ｓ３８でＹｅｓ）、選択されたアルバムの曲を表示する（Ｓ３９）。そして、ユーザが曲を選択すると（Ｓ４０でＹｅｓ）、選択された曲を再生する（Ｓ４１）。図７は表示部にアーティストを用いた絞り込み結果を表示した一例を示す図であり、絞り込みの結果、再生中のメディアと同じアーティスト内のアルバム（ＡＬＢＵＭ−Ａ、Ｄ、Ｅ）を選択することによってダイレクトに曲を選択できる。これは、アーティスト名という共通カテゴリの中から別の楽曲を選択し易くしている。
また、従来例として特許文献１には、再生中のコンテンツに関連するコンテンツを容易に検索し再生できるようにする再生装置について開示されている。即ち、再生装置には、あるコンテンツのアーティストに関連するアーティストを選択するモードに移行させるディスカバリボタンが設けられ、再生するコンテンツが決定されると、そのコンテンツのアーティストに関連するアーティストのコンテンツが再生装置に記録されているか否かを判断し、記録されていれば、ディスカバリボタンを点灯させる。ユーザがこの点灯に応じてディスカバリボタンを押圧すると、動作モードが移行され、再生するコンテンツのアーティストの関連アーティストを選択する画面が表示される。関連アーティストを選択すると、そのアーティストのコンテンツがリスト表示される。
【特許文献１】特開２００７−１４９３１３公報
【発明の開示】
【発明が解決しようとする課題】
【０００３】
しかし、従来のコンテンツ再生装置では、再生中の楽曲のアーティスト名からそのアーティストのアルバムをリンクさせるのみで、他の共通カテゴリ（ジャンル、コンポーザ名、及びプレイリストなど）にリンクさせることができないため、ユーザが他の共通カテゴリで選択できる自由度が低かった。
また、特許文献１に開示されている従来技術は、ユーザは、一々コンテンツの検索画面を呼び出さなくても、再生コンテンツの関連コンテンツを容易に見つけ出すことができるが、コンテンツが再生装置に記録されている場合に、ディスカバリボタンを点灯させて、そのボタンを押すことにより動作モードに移行するため、操作が煩雑であり、且つ専用のボタンを設けなければならないといった問題がある。
本発明は、かかる課題に鑑みてなされたものであり、絞り込み用カテゴリを設定しておき、コンテンツ再生中に所定のキーを押下して、設定した絞り込み用カテゴリに基づいて絞込みを実行し、再生中のコンテンツと同じカテゴリ内のコンテンツ又はカテゴリにより絞込みを実行することにより、共通カテゴリを利用した検索の自由度を向上させることができるコンテンツ再生装置を提供することを目的とする。
【課題を解決するための手段】
【０００４】
本発明はかかる課題を解決するために、請求項１は、複数のコンテンツを記録した記録媒体から各コンテンツ毎に付された付加情報に基づいて特定のコンテンツを絞り込んで再生するコンテンツ再生装置において、前記付加情報のカテゴリごとに絞り込み方法を指示した内容を該カテゴリと対応付けて記憶する絞込方法指示記憶手段と、前記カテゴリの中から１つ以上のカテゴリを絞込み用カテゴリとして設定する絞込カテゴリ設定手段と、該絞込カテゴリ設定手段により設定されたカテゴリに対応付けられた絞り込み方法に基づいて絞り込みを実行する絞込実行手段と、該絞込実行手段により実行された絞込み結果を表示する表示手段と、前記コンテンツ再生中にユーザの指示に伴い、前記絞込カテゴリ設定手段により設定されたカテゴリに対応する絞り込み方法を前記絞込方法指示記憶手段より読出し、該読み出された絞り込み方法に基づいて絞り込みを実行するように前記絞込実行手段を制御すると共に、該絞り込み結果を前記表示手段に表示する制御手段と、を備えたことを特徴とする。
コンテンツには、プレイリスト、アーティスト名、アルバム名、ジャンル、及びコンポーザ名などが付加されている。そして、これらを付加情報のカテゴリとした場合、各カテゴリ間をリンクして絞り込めれば、検索の自由度が向上する。そこで本発明では、予め、絞り込むためのカテゴリを設定しておき、コンテンツ再生中に所定のキーが押下されると、設定されたカテゴリの絞り込み方法を読み出して、その絞り込み方法に従って絞り込みを実行する。そして、絞り込みが完了すると、その結果を表示部に表示する。ユーザは、その表示内容をみて選択することにより、コンテンツ又はカテゴリが再生される。これにより、共通カテゴリを利用した検索の自由度を向上させることができる。
【０００５】
請求項２は、前記制御手段は、前記絞込カテゴリ設定手段によるカテゴリの設定を可能としたことを特徴とする。
ユーザはコンテンツ再生中に次の絞り込みカテゴリを用意して、再生が終了したと同時に次のコンテンツ再生ができることを望んでいる。そこで本発明では、コンテンツ再生中においても、絞込カテゴリ設定手段によるカテゴリの設定を可能とした。これにより、次のコンテンツの再生までの待ち時間を最小とすることができる。
請求項３は、前記付加情報のカテゴリとして、少なくともプレイリスト、アーティスト名、アルバム名、ジャンル、及びコンポーザ名を含むことを特徴とする。
付加情報のカテゴリは細分するほどユーザの好みに合ったコンテンツを探すことができる。しかし、あまり再分化すると操作性が悪くなる。そこで本発明では、少なくともプレイリスト、アーティスト名、アルバム名、ジャンル、及びコンポーザ名をカテゴリに含むようにする。これにより、操作性を落とすことなく、絞り込みの精度を高めることができる。
請求項４は、前記絞込方法指示記憶手段による絞り込み方法は、前記絞込カテゴリ設定手段により設定されたカテゴリごとに、再生中のコンテンツと同じ当該カテゴリ内のコンテンツ又はカテゴリにより絞込みを行なうように指示することを特徴とする。
本発明に係る絞り込み方法の特徴は、各カテゴリに関連性を持たせて絞り込みを行なう点である。即ち、設定されたカテゴリごとに、再生中のコンテンツと同じ当該カテゴリ内のコンテンツ又はカテゴリにより絞り込みを行なう。これにより、従来行なっている通常の絞り込みと重複することなく絞込みを行うことができる。
【０００６】
請求項５は、複数のコンテンツを記録した記録媒体から各コンテンツ毎に付された付加情報に基づいて特定のコンテンツを絞り込んで再生するコンテンツ再生方法において、前記カテゴリの中から１つ以上のカテゴリを絞込み用カテゴリとして設定する絞込ステップと、前記絞込カテゴリ設定手段により設定されたカテゴリに対応付けられた絞り込み方法に基づいて絞り込みを実行する絞込実行ステップと、実行された絞込み結果を表示する表示ステップと、前記コンテンツ再生中に所定のキーが押下されると、設定されたカテゴリに対応する絞り込み方法を読出し、該読み出された絞り込み方法に基づいて絞り込みを実行すると共に、該絞り込み結果を表示する制御ステップと、を備えたことを特徴とする。
本発明は請求項１と同様の作用効果を奏する。
請求項６は、請求項５に記載のコンテンツ再生方法をコンピュータが制御可能にプログラミングしたことを特徴とする。
本発明のコンテンツ再生方法をコンピュータが制御可能なＯＳに従ってプログラミングすることにより、そのＯＳを備えたコンピュータであれば同じ処理方法により制御することができる。
【発明の効果】
【０００７】
本発明によれば、予め、絞り込むためのカテゴリを設定しておき、コンテンツ再生中に所定のキーが押下されると、設定されたカテゴリの絞り込み方法を読み出して、その絞り込み方法に従って絞込みを実行する。そして、絞り込みが完了すると、その結果を表示部に表示する。ユーザは、その表示内容をみて選択することにより、コンテンツ又はカテゴリが再生されるので、共通カテゴリを利用した検索の自由度を向上させることができる。
【発明を実施するための最良の形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の実施形態に係るコンテンツ再生装置の構成を示す図である。このコンテンツ再生装置１００は、コンテンツを増幅再生するスピーカ１とアンプ部２とＤ／Ａ変換器（ＤＡＣ）３を有するオーディオ再生部２０と、コンテンツデータを記憶する記憶手段となる内蔵ＨＤＤ／メモリ（ＨＤＤまたはメモリの意味：以下、単に内蔵ＨＤＤと呼ぶ）１７と、コンテンツが記録されたＣＤ（メディア）を駆動するＣＤプレーヤ１６と、コンテンツの信号を処理するＤＳＰ４と、音楽ＣＤに収録されたコンテンツに関する情報を格納したＣＤＤＢ（CD Data Base）を参照してコンテンツを選択するために、表示部１４ａ（表示手段）と操作部１４ｂを有する操作表示部（選択手段）１４と、全体を制御するシステムマイコン（制御手段）１３と、を備えて構成されている。
尚、図示を省略するが、システムマイコン１３は、付加情報のカテゴリごとに絞り込み方法を指示した内容を該カテゴリと対応付けて記憶する絞込方法指示手段と、カテゴリの中から１つ以上のカテゴリを絞込み用カテゴリとして設定する絞込カテゴリ設定手段と、絞込カテゴリ設定手段により設定されたカテゴリに対応付けられた絞り込み方法に基づいて絞り込みを実行する絞込実行手段と、を備え、設定されたカテゴリに対応する絞り込み方法を絞込方法指示手段より読出し、読み出された絞り込み方法に基づいて絞り込みを実行するように絞込実行手段を制御すると共に、この絞り込み結果を表示部１４ａに表示する。
即ち、コンテンツには、プレイリスト、アーティスト名、アルバム名、ジャンル、及びコンポーザ名などが付加されている。そして、これらを付加情報のカテゴリとした場合、各カテゴリ間をリンクして絞り込めれば、検索の自由度が向上する。そこで本発明では、予め、絞り込むためのカテゴリを設定しておき、コンテンツ再生中に所定のキーが押下されると、設定されたカテゴリの絞り込み方法を読み出して、その絞り込み方法に従って絞り込みを実行する。そして、絞り込みが完了すると、その結果を表示部１４ａに表示する。ユーザは、その表示内容をみて選択することにより、コンテンツ又はカテゴリが再生される。これにより、共通カテゴリを利用した検索の自由度を向上させることができる。
【０００９】
また、システムマイコン１３は、コンテンツ再生中においても、絞込カテゴリ設定手段によるカテゴリの設定を可能とした。即ち、ユーザはコンテンツ再生中に次の絞り込みカテゴリを用意して、再生が終了したと同時に次のコンテンツ再生ができることを望んでいる。そこで本発明では、コンテンツ再生中においても、絞込カテゴリ設定手段によるカテゴリの設定を可能とした。これにより、次のコンテンツの再生までの待ち時間を最小とすることができる。
【００１０】
図２は本発明の絞り込み用カテゴリを設定する動作を説明するフローチャートである。まず、操作表示部１４により、絞り込み用カテゴリ設定モードに設定する（Ｓ１）。このモードは、表示部１４ａに表示されたモードキーを操作部１４ｂでクリックすることにより開始される。絞り込み用カテゴリ設定モードが設定されると、絞り込み用カテゴリを表示部１４ａに表示するためのデータを作成する（Ｓ２）。ユーザは表示部１４ａに表示された絞り込み用カテゴリを見ながら適宜選択して（Ｓ３）、選択が終了すると（Ｓ３でＹｅｓ）絞り込み用カテゴリを保存して終了する（Ｓ４）。例えば、図５（ａ）のように絞り込み用カテゴリ設定画面２０に、「ＡＲＴＩＳＴ」「ＧＥＮＲＥ」「ＣＯＭＰＯＳＥＲ」が表示されていた場合、「ＧＥＮＲＥ」を設定する場合は、その部分を反転表示させて設定することができる。
図３は本発明のコンテンツ再生装置によりコンテンツ又はカテゴリを絞り込む動作を説明するフローチャートである。本説明では、コンテンツとして音楽を再生する場合について説明する。
まず、楽曲再生中に所定のキーを押下する（Ｓ１０）。その結果、先に記憶されている絞り込み用カテゴリをクリアして（Ｓ１１）、図２の絞り込み用カテゴリ設定モードで設定された絞込み用カテゴリを読み出す（Ｓ１２）。次に、絞り込みを再生中の曲の設定された絞り込み用カテゴリで絞り込み処理を実行する（Ｓ１３）。その結果、絞り込まれた結果がゼロであれば（Ｓ１４でＮｏ）終了して、絞り込まれた結果がゼロでなければ（Ｓ１４でＹｅｓ）、絞り込まれたカテゴリの数を確認して（Ｓ１５）、その楽曲又はカテゴリを表示する表示データを作成する（Ｓ１６）。存在したカテゴリ数の表示データが作成完了すると（Ｓ１７でＹｅｓ）、表示部１４ａに絞り込み結果を表示する（Ｓ１８）。そして、ユーザが曲を選択すると、選択された曲を再生する。
【００１１】
図４は楽曲ごとの付加情報の一例を示す図である。説明を簡略化するために、楽曲はＡ〜Ｅとして、それぞれの楽曲２４には付加情報２３があり、付加情報２３はアーティスト名２６、アルバム名２７、ジャンル２８、コンポーザ名２９、及びプレイリスト３０のカテゴリに分かれている。例えば、楽曲Ａは、アーティスト名２６は「ａ」、アルバム名２７は「ＡＡ」、ジャンル２８は「ロック」、コンポーザ名２９は「ａａ」、及びプレイリスト３０は「１」となっている。以下、他の楽曲もそれぞれカテゴリごとに設定されている。
次に、図４に基づいて楽曲Ａを再生中にキーが押下された場合について説明する。先ず、図２のフローに従って絞り込み用カテゴリが図５（ａ）のように「ＧＥＮＲＥ」が設定されたとする。楽曲Ａを再生中に所定のキーが押下されると、メモリから設定された「ＧＥＮＲＥ」を絞り込み用カテゴリとして認識する。図５（ｂ）には、各カテゴリごとの絞り込み方法が対応付けて記憶されている。「ＰＬＡＹＬＩＳＴ」は「再生中の曲と同じＰｌａｙｌｉｓｔ内の曲」であり、「ＡＲＴＩＳＴ」は「再生中の曲と同じＡｒｔｉｓｔ内のアルバム」であり、「ＡＬＢＵＭ」は「再生中の曲と同じＡｌｂｕｍ内の曲」であり、「ＧＥＮＲＥ」は「再生中の曲と同じＧｅｎｒｅ内のアーティスト」であり、「ＣＯＭＰＯＳＥＲ」は「再生中の曲と同じＣｏｍｐｏｓｅｒ内のアルバム」である。従って、絞り込み用カテゴリが「ＧＥＮＲＥ」であるので、「再生中の曲と同じＧｅｎｒｅ内のアーティスト」を絞り込む。そこで、図４を参照して、楽曲Ａの「ＧＥＮＲＥ」２８は「ロック」であるので、同じジャンル内にある「ロック」は楽曲ＣとＤである。楽曲Ｃのアーティストは「ｄ」、楽曲Ｄのアーティストは「ａ」であることが解る。その結果、絞り込み結果として、アーティストは「ｄ」と「ａ」を表示する。その表示内容２２が図５（ｃ）である。
即ち、付加情報のカテゴリは細分するほどユーザの好みに合ったコンテンツを探すことができる。しかし、あまり再分化すると操作性が悪くなる。そこで本発明では、少なくともアーティスト名２６、アルバム名２７、ジャンル２８、コンポーザ名２９、及びプレイリスト３０をカテゴリ２５に含むようにする。これにより、操作性を落とすことなく、絞り込みの精度を高めることができる。また、本発明に係る絞り込み方法の特徴は、各カテゴリに関連性を持たせて絞り込みを行なう点である。即ち、設定されたカテゴリごとに、再生中のコンテンツと同じ当該カテゴリ内のコンテンツ又はカテゴリにより絞り込みを行なう。これにより、従来行なっている通常の絞り込みと重複することなく絞込みを行うことができる。
【００１２】
本発明は、上述した実施形態のみに限定されたものではない。上述した実施形態のコンテンツ再生装置１００を構成する各機能をそれぞれプログラム化し、あらかじめＣＤ−ＲＯＭ等の記録媒体に書き込んでおき、コンピュータに搭載したＣＤ−ＲＯＭドライブのような媒体駆動装置にこのＣＤ−ＲＯＭ等を装着して、これらのプログラムをコンピュータのメモリあるいは記憶装置に格納し、それを実行することによって、本発明の目的が達成されることは言うまでもない。この場合、記録媒体から読み出されたプログラム自体が上述した実施形態の機能を実現することになり、そのプログラムおよびそのプログラムを記録した記録媒体も本発明を構成することになる。
尚、プログラムを格納する記録媒体としては半導体媒体（例えば、ＲＯＭ、不揮発性メモリカード等）、光媒体（例えば、ＤＶＤ、ＭＯ、ＭＤ、ＣＤ等）、磁気媒体（例えば、磁気テープ、フレキシブルディスク等）等のいずれであってもよい。
【００１３】
また、ロードしたプログラムを実行することにより上述した実施形態の機能が実現されるだけでなく、オペレーティングシステムあるいは他のアプリケーションプログラム等と共同して処理することによって上述した実施形態の機能が実現される場合も含まれる。
市場に流通させる場合には、可搬型の記録媒体にプログラムを格納して流通させたり、インターネット等を介して接続されたサーバコンピュータの記憶装置にプログラムを格納しておき、インターネット等を通じて他のコンピュータに転送することもできる。この場合、このサーバコンピュータの記憶装置も本発明の記録媒体に含まれる。
なお、コンピュータでは、可搬型の記録媒体上のプログラム、または転送されてくるプログラムを、コンピュータに接続した記録媒体にインストールし、そのインストールされたプログラムを実行することによって上述した実施形態の機能が実現される。
【図面の簡単な説明】
【００１４】
【図１】本発明の実施形態に係るコンテンツ再生装置の構成を示す図である。
【図２】本発明の絞り込み用カテゴリを設定する動作を説明するフローチャートである。
【図３】本発明のコンテンツ再生装置によりコンテンツ又はカテゴリを絞り込む動作を説明するフローチャートである。
【図４】楽曲ごとの付加情報の一例を示す図である。
【図５】（ａ）は絞り込み用カテゴリの設定画面を示す図、（ｂ）は絞り込み用カテゴリ対応表を示す図、（ｃ）はジャンルを用いた絞り込み結果を示す図である。
【図６】従来のコンテンツ再生装置により楽曲を絞り込む動作を説明するフローチャートである。
【図７】アーティストを用いた絞り込み結果を表示する図である。
【符号の説明】
【００１５】
１  スピーカ、２  アンプ部、３  ＤＡＣ、４  ＤＳＰ、１３  システムマイコン、１４  操作表示部、１６  ＣＤプレーヤ、１７  内蔵ＨＤＤ／メモリ、１００  コンテンツ再生装置
【図１】
2010080035.tif 000003
【図２】
2010080035.tif 000004
【図３】
2010080035.tif 000005
【図４】
2010080035.tif 000006
【図５】
2010080035.tif 000007
【図６】
2010080035.tif 000008
【図７】
2010080035.tif 000009